(57)【特許請求の範囲】
【請求項１】
本体前面を開口し、発熱体1およびガード部材3を有し、本体前面の開口前方を通過する検知光線を設けて、検知光線の受光の有無を判別することで、可燃物のガード部材3への接近・接触を検知して発熱体2に対するスイッチ操作を行う電気ストーブにおいて、
前記開口に上下方向または左右方向に隣接して開口一側に設けた複数個の発光素子と、
前記開口に上下方向または左右方向に隣接して開口他側に設けた複数個の受光素子と
複数個の発光素子に対し時差点灯制御する発光素子時差点灯制御装置と
前記発光素子時差点灯制御装置に制御されて、複数個の受光素子を選択的に有効とするとともに、選択された受光素子について、対応する発光素子からの検知光線の有無を判別する、受光素子有効検知の有無を判別するための障害発生判別装置と、
前記障害発生判別装置が検知光線の不存在を判別したとき、発熱体への電源遮断を行う発熱体制御スィツチング装置と
を有することを特徴とする電気ストーブの安全装置。
【請求項２】
縦型平面タイプの電気ストーブにおいて、本体1の前面開口枠体1Ａ、1Ｂのいずれかの一側面に、複数個の発光素子６Ａ、6Ｂ、6Ｃを装備し、他側面に、複数個の受光素子７Ａ、７Ｂ、７Ｃを装備し、複数個の発光素子６Ａ、6Ｂ、6Ｃより、対向面の複数個の受光素子７Ａ、７Ｂ、７Ｃへの検知光線を照射することを特徴とする請求項1に記載する電気ストーブの安全装置。
【請求項３】
円筒型タイプの電気ストーブにおいて、本体上部の操作部４の下面に、複数個の発光素子６Ａ、6Ｂ、6Ｃを装備し、本体下部に複数個の受光素子７Ａ、７Ｂ、７Ｃを装備し、複数個の発光素子６Ａ、6Ｂ、6Ｃより、対向面の複数個の受光素子７Ａ、７Ｂ、７Ｃへの検知光線を照射することを特徴とする請求項1に記載する電気ストーブの安全装置。
【請求項４】
首振り機構８を内蔵した土台９を設け、土台９に支持される回転盤10により本体1を首振り自在とする円筒首振り型タイプの電気ストーブにおいて、本体上部の操作部４の下面に、複数個の発光素子６Ａ、6Ｂ、6Ｃを装備し、本体下部の回転盤10に複数個の受光素子７Ａ、７Ｂ、７Ｃを装備し、複数個の発光素子６Ａ、6Ｂ、6Ｃより、対向面の複数個の受光素子７Ａ、７Ｂ、７Ｃへの検知光線を照射することを特徴とする請求項1に記載する電気ストーブの安全装置。
【請求項５】
本体前面を開口し、発熱体1およびガード部材3を有し、本体前面の開口前方を通過する検知光線を設けて、検知光線の受光の有無を判別することで、可燃物のガード部材3への接近・接触を検知して発熱体2に対するスイッチ操作を行う電気ストーブにおいて、
前記開口に上下方向または左右方向に隣接して開口一側に設けた複数個の発光素子と、
前記開口に上下方向または左右方向に隣接して開口他側に設けた複数個の受光素子と
複数個の発光素子に対し時差点灯制御する発光素子時差点灯制御装置と
前記発光素子時差点灯制御装置に制御されて、複数個の受光素子を選択的に有効とするとともに、選択された受光素子について、対応する発光素子からの検知光線の有無を判別する、受光素子有効検知の有無を判別するための障害発生判別装置と、
前記障害発生判別装置が検知光線の不存在を判別したとき、発熱体への電源遮断を行う発熱体制御スィツチング装置とを有し、
前記発熱体制御スィツチング装置を、電源スイッチを切りとする電気ストーブ運転待機時においては、遮断作動に設定し、
前記発光素子時差点灯制御装置および前記障害発生判別装置が起動し、前記障害発生判別装置が検知光線の不存在を判別した後に、遮断作動より接続設定に変更して、
電気ストーブの起動時における障害発生時には、電気ストーブ運転不可とすることを特徴とする電気ストーブの安全装置
【請求項６】
縦型平面タイプの電気ストーブにおいて、本体1の前面開口枠体1Ａ、1Ｂのいずれかの一側面に、複数個の発光素子６Ａ、6Ｂ、6Ｃを装備し、他側面に、複数個の受光素子７Ａ、７Ｂ、７Ｃを装備し、複数個の発光素子６Ａ、6Ｂ、6Ｃより、対向面の複数個の受光素子７Ａ、７Ｂ、７Ｃへの検知光線を照射することを特徴とする請求項5に記載する電気ストーブの安全装置。
【請求項７】
円筒型タイプの電気ストーブにおいて、本体上部の操作部４の下面に、複数個の発光素子６Ａ、6Ｂ、6Ｃを装備し、本体下部に複数個の受光素子７Ａ、７Ｂ、７Ｃを装備し、複数個の発光素子６Ａ、6Ｂ、6Ｃより、対向面の複数個の受光素子７Ａ、７Ｂ、７Ｃへの検知光線を照射することを特徴とする請求項5に記載する電気ストーブの安全装置。
【請求項８】
首振り機構８を内蔵した土台９を設け、土台９に支持される回転盤10により本体1を首振り自在とする円筒首振り型タイプの電気ストーブにおいて、本体上部の操作部４の下面に、複数個の発光素子６Ａ、6Ｂ、6Ｃを装備し、本体下部の回転盤10に複数個の受光素子７Ａ、７Ｂ、７Ｃを装備し、複数個の発光素子６Ａ、6Ｂ、6Ｃより、対向面の複数個の受光素子７Ａ、７Ｂ、７Ｃへの検知光線を照射することを特徴とする請求項５に記載する電気ストーブの安全装置。
【発明の詳細な説明】
【技術分野】
【０００１】
本願発明は、電気ストーブにおける火災、火傷（やけど）防止の安全装置に関するものである。より詳しくは、発熱体前面のガード部材への障害物[可燃物（衣服、タオル等）、身体の一部]の接近に際して、電気ストーブの運転を自動停止するための安全装置に関するものである。
【背景技術】
【０００２】
この種の電気ストーブの安全装置として、特公平８−１３０６号(特許文献１)「電気ストーブ」が公知である。
図１０を参照して、ガード部材の前面に、発光素子25より複数個の反射体26,27,28を経て単一の検知光線を受光素子24に向け照射して、検知光線が遮断されることで、障害物、身体の一部の存在を検知する構造である。
【特許文献１】特公平８−１３０６号
【発明の開示】
【発明が解決しようとする課題】
【０００３】
前記の公知技術において、単一の検知光線による障害物等検出であるから、線としての障害物等検出となり、検知光線の通過しない範囲（即ち、非検出エリヤ）が広範囲の非検出エリヤが存在する問題点がある。
よって、障害物等検出に際し、検知光線の通過しない範囲(非検出エリヤ)を縮小し、面検出に近づけことを課題とする。
【課題を解決するための手段】
【０００４】
本願第1発明は、本体前面を開口し、発熱体およびガード部材を有し、本体前面の開口前方を通過する検知光線を設けて、検知光線の受光の有無を判別することで、可燃物のガード部材への接近・接触を検知して発熱体に対するスイッチ操作を行う電気ストーブにおいて、前記開口に上下方向または左右方向に隣接して開口一側に設けた複数個の発光素子と、前記開口に上下方向または左右方向に隣接して開口他側に設けた複数個の受光素子と、複数個の発光素子に対し時差点灯制御する発光素子時差点灯制御装置と、前記発光素子時差点灯制御装置に制御されて、複数個の受光素子を選択的に有効とするとともに、選択された受光素子について、対応する発光素子からの検知光線の有無を判別する、受光素子有効検知の有無を判別する障害発生判別装置と、前記障害発生判別装置が検知光線の不存在を判別したとき、発熱体への電源遮断を行う発熱体制御スィツチング装置と、を有することを特徴とする電気ストーブの安全装置を提供する。
【０００５】
本願第２発明は、前記発熱体制御スィツチング装置を、電源スイッチを切りとする電気ストーブ運転待機時においては、遮断作動に設定し、前記発光素子時差点灯制御装置および前記障害発生判別装置が起動し、前記障害発生判別装置が検知光線の不存在を判別した後に、遮断作動より接続設定に変更して、電気ストーブの起動時には発熱体を待機状態（非通電）とすることを特徴とする。
【発明の効果】
【０００６】
本願第1発明は、開口一側に設けた複数個の発光素子と、開口他側に設けた複数個の発光素子と、発光素子時差点灯制御装置とにより、複数本の検知光線を所定のタイミィングで連続発生させるものであるから、検知範囲を隣接させ面検知範囲に近づけることができて、検知精度を高め安全対策をより確実にする効果を有する。
【０００７】
本願第2発明は、電気ストーブの起動時には発熱体を待機状態（非通電）とすることで、起床前の室内自動暖房を設定した場合のごとく、自動運転による火災等に対する安全対策を高める効果を有する。
【発明を実施するための最良の形態】
【０００８】
本発明の好適な実施例について、添付図面を参照して説明する。
【０００９】
図1ないし図４を参照して、縦型平面タイプの電気ストーブを示し、1は本体で、前面を開口している。2は発熱体(ヒーター)、３はガード部材、４は操作部、５は脚である。
【００１０】
本体1の前面開口枠体1Ａ、1Ｂのいずれかの一側面(図示の実施例では右側面)に、複数個の発光素子(集光ランプ、発光ダイオード等)６Ａ、6Ｂ、6Ｃを装備し、他側面(図示の実施例では左側面)に、複数個の受光素子（cdsセンサー）７Ａ、７Ｂ、７Ｃを装備する。図４は、複数個の発光素子６Ａ、6Ｂ、6Ｃより、対向面の複数個の受光素子７Ａ、７Ｂ、７Ｃへの検知光線を示す。
【００１１】
図５ないし図7を参照して、円筒型首振りタイプの電気ストーブを示し、第１実施例の脚５に代えて、首振り機構８を内蔵した土台９を設ける。土台９に支持される回転盤10により本体1を首振り自在とする。
【００１２】
本体上部の操作部４の下面に、複数個の発光素子(集光ランプ、発光ダイオード等)６Ａ、6Ｂ、6Ｃを装備し、本体下部の回転盤10に複数個の受光素子７Ａ、７Ｂ、７Ｃを装備する。
【００１３】
本体1の前面開口の上方に、複数個の発光素子６Ａ、6Ｂ、6Ｃが位置し、本体1の前面開口の下方に、複数個の受光素子（cdsセンサー）７Ａ、７Ｂ、７Ｃが位置して、両者は上下に対向している。
【００１４】
操作部４には、警報手段（LED灯、ブザー）、電源スイッチ  温度設定機構、タイマー等の従来機構を装備するとともに、図9のフローチャートの機能を奏するためのマイコンを装備する。
【００１５】
図8は制御装置に装備するマイコンの機能説明図、図9はフロー説明図であり、マイコン１０の機能として、複数個の発光素子に対し時差点灯制御する発光素子時差点灯制御装置１１と、前記発光素子時差点灯制御装置１１に制御されて、複数個の受光素子を選択的に有効とするとともに、選択された受光素子について、対応する発光素子からの検知光線の有無を判別する（受光素子有効検知の有無を判別する）障害発生判別装置１２と、前記障害発生判別装置１２が検知光線の「無」（不存在）を判別したとき、発熱体への電源遮断を行う発熱体制御スィツチング装置1３としてのマイコンの機能を示すものである。
【００１６】
以下、図９のフローチャートを参照して、本願発明の動作を説明する。
【００１７】
[電源入]-----電源プラグは商用電力に常時接続
【００１８】
[待機モード]-----発光素子時差点灯制御装置及び障害発生判別装置はON
発熱体制御スィツチング装置の作動は、常時OFF、
発光素子時差点灯制御装置及び障害発生判別装置の作動により障害発生の「無」を判別したときON（接続作動）
【００１９】
[Ｐ1---運転スイッチＳの操作確認]
ＯＦＦ---待機モードに戻る  
ON------マイコンは商用電源に接続
発光素子時差点灯制御装置及び障害発生判別装置はON
【００２０】
障害物の光線検知を開始
----------[発光素子時差点灯制御装置の機能（以下のＳ11、Ｓ12、Ｓ13）]
Ｓ11 ----[センサ部１発光・センサ部1、2受光]
発光素子6Ａが発光
受光素子7Ａおよび受光素子7Ｂが作動状態
Ｓ12----[センサ部２発光・センサ部1、2、3受光]
発光素子6Ｂが発光
受光素子7Ａ、受光素子7Ｂおよび受光素子7Ｃ
Ｓ13----[センサ部3光・センサ部2、3受光]
発光素子6Ｃが発光
受光素子7Ｂおよび受光素子7Ｃ
【００２１】
[Ｐ2    受光素子7Ａ、受光素子7Ｂおよび受光素子7Ｃの受光確認]
------障害発生判別装置の機能
ＯＫ
Ｓ11、Ｓ12、Ｓ13のすべてのタイミングにおいて、発光素子6Ａ、発光素子6Ｂおよび発光素子7Ｃに対応するすべてのタイミングに受光素子7Ａ、受光素子7Ｂおよび受光素子7Ｃが受光したことを確認-------検知光線の非遮断（障害発生なし）を確認
ＮＧ
上記のタイミングにおいて、受光素子7Ａ、受光素子7Ｂおよび受光素子7Ｃのいずれかに受光がないことを検知------検知光線の遮断（障害発生）を検知、[Ｑ3警報作動]へ進む
【００２２】
[Ｑ1      作動モードに変更]
---------ヒーター運転状態  
発光素子時差点灯制御装置及び障害発生判別装置１２はON  に加えて
発熱体制御スィツチング装置１３を作動
【００２３】
[以下、作動モード（ヒーター通電）のもと、障害物の光線検知を開始]
----------発光素子時差点灯制御装置の機能（以下のＳ21、Ｓ22、Ｓ23）
Ｓ21 ----[センサ部１発光・センサ部1、2受光]
発光素子6Ａが発光
受光素子7Ａおよび受光素子7Ｂが作動状態
Ｓ22----[センサ部２発光・センサ部1、2、3受光]
発光素子6Ｂが発光
受光素子7Ａ、受光素子7Ｂおよび受光素子7Ｃ
Ｓ23----[センサ部3光・センサ部2、3受光]
発光素子6Ｃが発光
受光素子7Ｂおよび受光素子7ＣＳ21 
【００２４】
[Ｐ2    受光素子7Ａ、受光素子7Ｂおよび受光素子7Ｃの受光確認]
------障害発生判別装置の機能
ＯＫ
Ｓ21、Ｓ22、Ｓ23のすべてのタイミングにおいて、発光素子6Ａ、発光素子6Ｂおよび発光素子7Ｃに対応するすべてのタイミングに受光素子7Ａ、受光素子7Ｂおよび受光素子7Ｃが受光したことを確認-------検知光線の非遮断（障害発生なし）を確認
---Ｓ21に戻る、
[ヒーター運転継続]
ＮＧ
Ｓ21、Ｓ22、Ｓ23のすべてのタイミングにおいて、発光素子6Ａ、発光素子6Ｂおよび発光素子7Ｃに対応するすべてのタイミングに受光素子7Ａ、受光素子7Ｂおよび受光素子7Ｃが受光した上記のタイミングにおいて、受光素子7Ａ、受光素子7Ｂおよび受光素子7Ｃのいずれかに受光がないことを検知------検知光線の遮断（障害発生）を検知
【００２５】
[Ｑ2      ヒーター運転停止]
---------発熱体制御スィツチング装置の作動は、ＯＦＦ作動
【００２６】
[Ｑ3    警報作動]
---------ＬＥＤ点滅表示、ブザー警報発生  
発光素子時差点灯制御装置及び障害発生判別装置の作動により障害発生の「無」を判別したときON（接続作動）---
【００２７】
以下、警報停止・運転スイッチＯＦＦ確認動作
[Ｐ4  運転スイッチＳの操作確認]
------ON      警報継続
[Ｑ３警報作動]に戻る
------ＯＦＦ
【００２８】
[障害物の光線検知を継続
----------発光素子時差点灯制御装置の機能（以下のＳ31、Ｓ32、Ｓ33）]
Ｓ31 ----[センサ部１発光・センサ部1、2受光]
発光素子6Ａが発光
受光素子7Ａおよび受光素子7Ｂが作動状態
Ｓ32----[センサ部２発光・センサ部1、2、3受光]
発光素子6Ｂが発光
受光素子7Ａ、受光素子7Ｂおよび受光素子7Ｃ
Ｓ33----[センサ部3光・センサ部2、3受光]
発光素子6Ｃが発光
受光素子7Ｂおよび受光素子7Ｃ
【００２９】
[Ｐ5    受光素子7Ａ、受光素子7Ｂおよび受光素子7Ｃの受光確認]
------障害発生判別装置の機能
ＯＫ
Ｓ11、Ｓ12、Ｓ13のすべてのタイミングにおいて、発光素子6Ａ、発光素子6Ｂおよび発光素子7Ｃに対応するすべてのタイミングに受光素子7Ａ、受光素子7Ｂおよび受光素子7Ｃが受光したことを確認-------検知光線の非遮断（障害発生なし）を確認
-----待機モードへ
ＮＧ
上記のタイミングにおいて、受光素子7Ａ、受光素子7Ｂおよび受光素子7Ｃのいずれかに受光がないことを検知------検知光線の遮断（障害発生）を検知、[Ｑ3警報作動]を継続へ
【００３０】
上述のマイコン制御にもとづき、本願発明は、電気ストーブの起動時(運転開始時)には、発熱体を待機状態（非通電）とする。
よって、留守宅の遠隔制御による帰宅前の暖房、起床前の室内自動暖房のごとく、自動運転に際し、火災等に対する安全対策を高めることができる。
【００３１】
また、開口一側に設けた複数個の発光素子と、開口他側に設けた複数個の発光素子と、発光素子時差点灯制御装置とにより、検知光線による検知範囲を隣接させて、面検知範囲に近づけることができる。
したがって、検知精度を高め安全対策をより確実にする。
【産業上の利用可能性】
【００３２】
本願発明は、電気ストーブの安全対策をより効果的にすることで、電気ストーブ製造業およびその連産業の産業発展に寄与するものである。
【図面の簡単な説明】
【００３３】
【図１】本発明の実施例を示す縦型平面タイプの電気ストーブの右側面寄りの斜視図。
【図２】同じく電気ストーブの左側面寄りの斜視図。
【図３】同じく平面図。
【図４】検知光線を示す、図２同様の斜視図。
【図５】本発明の実施例を示す円筒型首振りタイプの電気ストーブの斜視図。
【図６】同じく底面側より見た斜視図。
【図７】同じく縦断面図。
【図８】マイコンのマイコン機能を示すブロック図。
【図９】マイコンのマイコン機能を示すフローチャート。
【図１０】公知の電気ストーブの正面図。
【符号の説明】
【００３４】
２    発熱体(ヒーター)、
３    ガード部材、
４    操作部、
６    発光素子
７    受光素子
【図１】
0005273347.tif 000002
【図２】
0005273347.tif 000003
【図３】
0005273347.tif 000004
【図４】
0005273347.tif 000005
【図５】
0005273347.tif 000006
【図６】
0005273347.tif 000007
【図７】
0005273347.tif 000008
【図８】
0005273347.tif 000009
【図９】
0005273347.tif 000010
【図１０】
0005273347.tif 000011